(57)【特許請求の範囲】
【請求項１】
信号を補正する補正部と、
複数の可変抵抗を有するポテンショメータと、
前記複数の可変抵抗に所定電位の電圧を与えた場合の、前記複数の可変抵抗による複数の分圧値を対応付けて記憶する記憶部と、
前記記憶部に記憶されている、前記ポテンショメータの調整位置を示す分圧値に対応した、前記ポテンショメータの調整位置を示す分圧値を除く前記複数の分圧値の比率に基づいて、前記補正部を制御する制御部と、
を備えることを特徴とする音量調整装置。
【請求項２】
前記補正部は、左チャンネル音声信号と、右チャンネル音声信号と、の音量を補正する音量補正部であり、
前記ポテンショメータは、
左チャンネル音声信号用の第１可変抵抗と、
右チャンネル音声信号用の第２可変抵抗と、
第３可変抵抗と、を有する一軸三連ポテンショメータであり、
前記記憶部は、前記第１可変抵抗と、前記第２可変抵抗と、前記第３可変抵抗と、に所定電位の電圧を与えた場合の、前記第１可変抵抗による第１分圧値と、前記第２可変抵抗による第２分圧値と、前記第３可変抵抗による第３分圧値と、を対応付けて記憶し、
前記制御部は、前記記憶部に記憶されている、前記一軸三連ポテンショメータの調整位置を示す前記第３分圧値に対応した、前記第１分圧値と前記第２分圧値との比率に基づいて、前記音量補正部を制御する
ことを特徴とする請求項１に記載の音量調整装置。
【請求項３】
前記記憶部は、前記一軸三連ポテンショメータが複数の異なる調整位置である場合の、前記第１分圧値と、前記第２分圧値と、前記第３分圧値と、を記憶していることを特徴とする請求項２に記載の音量調整装置。
【請求項４】
前記制御部は、前記一軸三連ポテンショメータの操作があった場合に、前記一軸三連ポテンショメータの調整位置を示す前記第３分圧値に対応した、前記第１分圧値と前記第２分圧値との比率に基づいて、前記音量補正部を制御することを特徴とする請求項２又は３に記載の音量調整装置。
【請求項５】
前記所定電位の電圧を供給する電源と、左チャンネル音声信号の信号供給源と、を切り替え可能な第１スイッチと、
前記電源と、右チャンネル音声信号の信号供給源と、を切り替え可能な第２スイッチとを、さらに備え、
前記第１可変抵抗は、一端が、前記第１スイッチに接続され、他端が、グラウンドに接続され、
前記第２可変抵抗は、一端が、前記第２スイッチに接続され、他端が、グラウンドに接続され、
前記第３可変抵抗は、一端が、前記電源に接続され、他端が、グラウンドに接続されていることを特徴とする請求項２〜４のいずれか１項に記載の音量調整装置。
【請求項６】
前記第１可変抵抗からの出力と、前記制御部と、を接続又は遮断する第３スイッチと、
前記第２可変抵抗からの出力と、前記制御部と、を接続又は遮断する第４スイッチと、
をさらに備えることを特徴とする請求項２〜５のいずれか１項に記載の音量調整装置。
【請求項７】
前記補正部は、非反転の左チャンネル音声信号と、反転の左チャンネル音声信号と、非反転の右チャンネル音声信号と、反転の右チャンネル音声信号と、の音量を補正する音量補正部であり、
前記ポテンショメータは、
非反転の左チャンネル音声信号用の第４可変抵抗と、
反転の左チャンネル音声信号用の第５可変抵抗と、
非反転の右チャンネル音声信号用の第６可変抵抗と、
反転の右チャンネル音声信号用の第７可変抵抗と、
第８可変抵抗と、を有する一軸五連ポテンショメータであり、
前記記憶部は、前記第４可変抵抗と、前記第５可変抵抗と、前記第６可変抵抗と、前記第７可変抵抗と、前記第８可変抵抗と、に所定電位の電圧を与えた場合の、前記第４可変抵抗による第４分圧値と、前記第５可変抵抗による第５分圧値と、前記第６可変抵抗による第６分圧値と、前記第７可変抵抗による第７分圧値と、前記第８可変抵抗による第８分圧値と、を対応付けて記憶し、
前記制御部は、前記記憶部に記憶されている、前記一軸五連ポテンショメータの調整位置を示す前記第８分圧値に対応した、前記第４分圧値と前記第５分圧値と前記第６分圧値と前記第７分圧値との比率に基づいて、前記音量補正部を制御する
ことを特徴とする請求項１に記載の音量調整装置。
【発明の詳細な説明】
【技術分野】
【０００１】
本発明は、音声信号の音量を調整する音量調整装置に関する。
【背景技術】
【０００２】
ステレオ音声信号の音量を調整する音量調整装置において、１つの回転軸により２つの可変抵抗が連動するポテンショメータ（可変抵抗器）が用いられる場合がある。音声信号をポテンショメータの可変抵抗により分圧することで音量を調整する場合、ステレオ音声信号のＬチャンネル・Ｒチャンネル間の出力量に差が生じる、いわゆるギャングエラーが発生する場合がある。これは、ポテンショメータの相互偏差により生じるもので、偏差量も部品ごとにばらつきがある。また、ギャングエラーは、ポテンショメータの調整位置（回転角度）により偏差量が異なるため、音量の調整量次第で、Ｌチャンネル・Ｒチャンネル間の出力量の差が異なる。
【０００３】
ギャングエラーを軽減させるためには、電子ボリュームを使用することが考えらえる。しかし、電子ボリュームを搭載した場合に必要な部品（信号ラインのカップリングコンデンサ、電源のバイパスコンデンサ等）も考慮すると、ポテンショメータで直接音声信号を分圧する場合よりも、回路構成上の基板専有面積、コストの増加が考えられる。また、ポテンショメータの相互偏差のスペック値を小さく管理しようとした場合、部品としての歩留まりに影響があるため、実現性が伴わない。
【０００４】
特許文献１には、２つのボルテージコントロールドアンプを用いた場合に発生するギャングエラーを補正する技術が開示されている。
【先行技術文献】
【特許文献】
【０００５】
【特許文献１】特開平０９‐２４４７４６号公報
【発明の概要】
【発明が解決しようとする課題】
【０００６】
上述のように、音量調整にポテンショメータを用いると、ギャングエラーが発生するという問題がある。
【０００７】
本発明の目的は、音量調整にポテンショメータを用いた場合であっても、ギャングエラーが発生することを軽減することである。
【課題を解決するための手段】
【０００８】
第１の発明の音量調整装置は、信号を補正する補正部と、複数の可変抵抗を有するポテンショメータと、前記複数の可変抵抗に所定電位の電圧を与えた場合の、前記複数の可変抵抗による複数の分圧値を対応付けて記憶する記憶部と、前記記憶部に記憶されている、前記ポテンショメータの調整位置を示す分圧値に対応した、前記ポテンショメータの調整位置を示す分圧値を除く前記複数の分圧値の比率に基づいて、前記補正部を制御する制御部と、を備えることを特徴とする。
【０００９】
本発明では、記憶部は、複数の可変抵抗に所定電位の電圧を与えた場合の、複数の可変抵抗による複数の分圧値を対応付けて記憶している。そして、制御部は、記憶部に記憶されている、ポテンショメータの調整位置を示す分圧値に対応した、ポテンショメータの調整位置を示す分圧値を除く複数の分圧値の比率に基づいて、補正部を制御する。これにより、ギャングエラーの発生が軽減される。
【００１０】
第２の発明の音量調整装置は、第１の発明の音量調整装置において、前記補正部は、左チャンネル音声信号と、右チャンネル音声信号と、の音量を補正する音量補正部であり、前記ポテンショメータは、左チャンネル音声信号用の第１可変抵抗と、右チャンネル音声信号用の第２可変抵抗と、第３可変抵抗と、を有する一軸三連ポテンショメータであり、前記記憶部は、前記第１可変抵抗と、前記第２可変抵抗と、前記第３可変抵抗と、に所定電位の電圧を与えた場合の、前記第１可変抵抗による第１分圧値と、前記第２可変抵抗による第２分圧値と、前記第３可変抵抗による第３分圧値と、を対応付けて記憶し、前記制御部は、前記記憶部に記憶されている、前記一軸三連ポテンショメータの調整位置を示す前記第３分圧値に対応した、前記第１分圧値と前記第２分圧値との比率に基づいて、前記音量補正部を制御することを特徴とする。
【００１１】
本発明では、記憶部は、第１可変抵抗と、第２可変抵抗と、第３可変抵抗と、に所定電位の電圧を与えた場合の、第１可変抵抗による第１分圧値と、第２可変抵抗による第２分圧値と、第３可変抵抗による第３分圧値と、を対応付けて記憶している。そして、制御部は、記憶部に記憶されている、一軸三連ポテンショメータの調整位置を示す第３分圧値に対応した、第１分圧値と第２分圧値との比率に基づいて、音量補正部を制御する。これにより、ギャングエラーの発生が軽減される。
【００１２】
第３の発明の音量調整装置は、第２の発明の音量調整装置において、前記記憶部は、前記一軸三連ポテンショメータが複数の異なる調整位置である場合の、前記第１分圧値と、前記第２分圧値と、前記第３分圧値と、を記憶していることを特徴とする。
【００１３】
第４の発明の音量調整装置は、第２又は第３の発明の音量調整装置において、前記制御部は、前記一軸三連ポテンショメータの操作があった場合に、前記一軸三連ポテンショメータの調整位置を示す前記第３分圧値に対応した、前記第１分圧値と前記第２分圧値との比率に基づいて、前記音量補正部を制御することを特徴とする。
【００１４】
第５の発明の音量調整装置は、第２〜第４の発明のいずれかの音量調整装置において、前記所定電位の電圧を供給する電源と、左チャンネル音声信号の信号供給源と、を切り替え可能な第１スイッチと、前記電源と、右チャンネル音声信号の信号供給源と、を切り替え可能な第２スイッチとを、さらに備え、前記第１可変抵抗は、一端が、前記第１スイッチに接続され、他端が、グラウンドに接続され、前記第２可変抵抗は、一端が、前記第２スイッチに接続され、他端が、グラウンドに接続され、前記第３可変抵抗は、一端が、前記電源に接続され、他端が、グラウンドに接続されていることを特徴とする。
【００１５】
第６の発明の音量調整装置は、第２〜第５の発明のいずれかの音量調整装置において、前記第１可変抵抗からの出力と、前記制御部と、を接続又は遮断する第３スイッチと、前記第２可変抵抗からの出力と、前記制御部と、を接続又は遮断する第４スイッチと、をさらに備えることを特徴とする。
【００１６】
第７の発明の音量調整装置は、第１の発明の音量調整装置において、前記補正部は、非反転の左チャンネル音声信号と、反転の左チャンネル音声信号と、非反転の右チャンネル音声信号と、反転の右チャンネル音声信号と、の音量を補正する音量補正部であり、前記ポテンショメータは、非反転の左チャンネル音声信号用の第４可変抵抗と、反転の左チャンネル音声信号用の第５可変抵抗と、非反転の右チャンネル音声信号用の第６可変抵抗と、反転の右チャンネル音声信号用の第７可変抵抗と、第８可変抵抗と、を有する一軸五連ポテンショメータであり、前記記憶部は、前記第４可変抵抗と、前記第５可変抵抗と、前記第６可変抵抗と、前記第７可変抵抗と、前記第８可変抵抗と、に所定電位の電圧を与えた場合の、前記第４可変抵抗による第４分圧値と、前記第５可変抵抗による第５分圧値と、前記第６可変抵抗による第６分圧値と、前記第７可変抵抗による第７分圧値と、前記第８可変抵抗による第８分圧値と、を対応付けて記憶し、前記制御部は、前記記憶部に記憶されている、前記一軸五連ポテンショメータの調整位置を示す前記第８分圧値に対応した、前記第４分圧値と前記第５分圧値と前記第６分圧値と前記第７分圧値との比率に基づいて、前記音量補正部を制御することを特徴とする。
【００１７】
本発明では、記憶部は、第４可変抵抗と、第５可変抵抗と、第６可変抵抗と、第７可変抵抗と、第８可変抵抗と、に所定電位の電圧を与えた場合の、第４可変抵抗による第４分圧値と、第５可変抵抗による第５分圧値と、第６可変抵抗による第６分圧値と、第７可変抵抗による第７分圧値と、第８可変抵抗による第８分圧値と、を対応付けて記憶している。そして、制御部は、記憶部に記憶されている、一軸五連ポテンショメータの調整位置を示す第８分圧値に対応した、第４分圧値と第５分圧値と第６分圧値と第７分圧値との比率に基づいて、音量補正部を制御する。これにより、ギャングエラーの発生が軽減される。
【発明の効果】
【００１８】
本発明によれば、ギャングエラーの発生が軽減される。
【図面の簡単な説明】
【００１９】
【図１】本発明の実施形態に係る音楽再生装置の構成を示すブロック図である。
【図２】ギャングエラーを補正するためのデータを取得する場合の音楽再生装置を示すブロック図である。
【図３】音楽再生時の音楽再生装置を示すブロック図である。
【発明を実施するための形態】
【００２０】
以下、本発明の実施形態について説明する。図１は、本実施形態に係る音楽再生装置の構成を示すブロック図である。音楽再生装置１（音量調整装置）は、音声信号に基づいて、音楽を再生する。なお、本実施形態では、主に、音声信号の音量調整に関する構成について説明する。音楽再生装置１は、マイクロコンピュータ２と、Ｄ／Ａコンバータ（以下、「ＤＡＣ」という。）３と、一軸三連ポテンショメータ４と、スイッチ５〜８と、を備える。
【００２１】
マイクロコンピュータ２（制御部）は、ＣＰＵ（Central Processing Unit）、ＲＯＭ（Read Only Memory）、ＲＡＭ（Random Access Memory）、入出力インターフェース等のハードウェアから構成されている。マイクロコンピュータ２は、音楽再生装置１を構成する各部を制御する。ＤＡＣ３（音量補正部）は、Ｌチャンネル、Ｒチャンネルのデジタル音声信号をアナログ音声信号にＤ／Ａ変換する。Ｄ／Ａ変換されたＬチャンネルのアナログ音声信号は、一軸三連ポテンショメータ４の可変抵抗ＶＲ１に出力される。また、Ｄ／Ａ変換されたＲチャンネルのアナログ音声信号は、一軸三連ポテンショメータ４の可変抵抗ＶＲ２に出力される。ＤＡＣ３は、音声信号の音量を補正する機能を有する。
【００２２】
一軸三連ポテンショメータ４は、可変抵抗ＶＲ１〜ＶＲ３を有する。可変抵抗ＶＲ１〜ＶＲ３は、ユーザー操作により、抵抗値が変化する。可変抵抗ＶＲ１（第１可変抵抗）は、Ｌ（左）チャンネルのアナログ音声信号用である。可変抵抗ＶＲ１の一端は、スイッチ５に接続されている。可変抵抗ＶＲ１の他端は、グラウンドＧＮＤに接続されている。可変抵抗ＶＲ１は、Ｌチャンネルのアナログ音声信号を分圧する。可変抵抗ＶＲ１により分圧されたＬチャンネルのアナログ音声信号は、Ｌチャンネル出力端子に出力される。可変抵抗ＶＲ２（第２可変抵抗）は、Ｒ（右）チャンネルのアナログ音声信号用である。可変抵抗ＶＲ２の一端は、スイッチ６に接続されている。可変抵抗ＶＲ２の他端は、グラウンドＧＮＤに接続されている。可変抵抗ＶＲ２は、Ｒチャンネルのアナログ音声信号を分圧する。可変抵抗ＶＲ２により分圧されたＲチャンネルのアナログ音声信号は、Ｒチャンネル出力端子に出力される。
【００２３】
可変抵抗ＶＲ３（第３可変抵抗）は、ギャングエラーを補正するための可変抵抗である。可変抵抗ＶＲ３の一端は、所定電位の電圧を供給する電源ＶＣＣに接続されている。可変抵抗ＶＲ３の他端は、グラウンドＧＮＤに接続されている。可変抵抗ＶＲ３は、電源ＶＣＣからの電圧を分圧する。可変抵抗ＶＲ３による分圧値は、マイクロコンピュータ２のＡ／ＤポートＡ／Ｄ３に出力される。なお、電源ＶＣＣは、マイクロコンピュータ２に電源電圧を供給する電源と共用されている。
【００２４】
スイッチ５（第１スイッチ）は、電源ＶＣＣと、Ｌチャンネルのアナログ音声信号の信号供給源であるＤＡＣ３のＬチャンネルポートと、を切り替え可能である。スイッチ６（第２スイッチ）は、電源ＶＣＣと、Ｒチャンネルのアナログ音声信号の信号供給源であるＤＡＣ３のＲチャンネルポートと、を切り替え可能である。スイッチ７（第３スイッチ）は、可変抵抗ＶＲ１の出力と、マイクロコンピュータ２のＡ／ＤポートＡ／Ｄ１と、を接続又は遮断する。スイッチ８（第４スイッチ）は、可変抵抗ＶＲ２の出力と、マイクロコンピュータ２のＡ／ＤポートＡ／Ｄ２と、を接続又は遮断する。
【００２５】
ギャングエラーを補正するためのデータを取得する場合は、図２に示すように、スイッチ５は、電源ＶＣＣと、可変抵抗ＶＲ１と、を接続する。スイッチ６は、電源ＶＣＣと、可変抵抗ＶＲ２と、を接続する。スイッチ７は、オンの状態であり、可変抵抗ＶＲ１の出力と、マイクロコンピュータ２のＡ／ＤポートＡ／Ｄ１と、を接続している。スイッチ８は、オンの状態であり、可変抵抗ＶＲ２の出力と、マイクロコンピュータ２のＡ／ＤポートＡ／Ｄ２と、を接続している。
【００２６】
可変抵抗ＶＲ１は、電源ＶＣＣからの電圧を分圧する。可変抵抗ＶＲ１による分圧値（第１分圧値）は、マイクロコンピュータ２のＡ／ＤポートＡ／Ｄ１に出力される。可変抵抗ＶＲ２は、電源ＶＣＣからの電圧を分圧する。可変抵抗ＶＲ２による分圧値（第２分圧値）は、マイクロコンピュータ２のＡ／ＤポートＡ／Ｄ２に出力される。可変抵抗ＶＲ３は、電源ＶＣＣからの電圧を分圧する。可変抵抗ＶＲ３による分圧値（第３分圧値）は、マイクロコンピュータ２のＡ／ＤポートＡ／Ｄ３に出力される。マイクロコンピュータ２は、可変抵抗ＶＲ１による分圧値と、可変抵抗ＶＲ２による分圧値と、可変抵抗ＶＲ３による分圧値と、を対応付けてＲＯＭ（記憶部）に記憶する。
【００２７】
また、一軸三連ポテンショメータ４の回転角度（調整位置）を変えて、可変抵抗ＶＲ１による分圧値と、可変抵抗ＶＲ２による分圧値と、可変抵抗ＶＲ３による分圧値と、を対応付けて、マイクロコンピュータ２により、ＲＯＭに記憶させる。このようにして、一軸三連ポテンショメータ４の可変範囲全てに対する、可変抵抗ＶＲ１による分圧値と、可変抵抗ＶＲ２による分圧値と、可変抵抗ＶＲ３による分圧値と、を対応付けて、マイクロコンピュータ２により、ＲＯＭに記憶させる。従って、ＲＯＭは、一軸三連ポテンショメータ４が複数の異なる回転角度である場合の、可変抵抗ＶＲ１による分圧値と、可変抵抗ＶＲ２による分圧値と、可変抵抗ＶＲ３による分圧値と、を記憶している。
【００２８】
マイクロコンピュータ２は、ＲＯＭに記憶されている、一軸三連ポテンショメータ４の回転角度を示す可変抵抗ＶＲ３に対応した、可変抵抗ＶＲ１による分圧値と可変抵抗ＶＲ２による分圧値との比率に基づいて、ＤＡＣ３を制御する。ここで、可変抵抗ＶＲ１による分圧値と可変抵抗ＶＲ２による分圧値との比率が、Ｌチャンネルのアナログ音声信号とＲチャンネルのアナログ音声信号との信号レベルの比率となる。このため、Ｌチャンネルのアナログ音声信号とＲチャンネルのアナログ音声信号との信号レベル差がなくなるように、可変抵抗ＶＲ１による分圧値と可変抵抗ＶＲ２による分圧値との比率に応じて、マイクロコンピュータ２は、ＤＡＣ３のゲイン調整を行う。例えば、ＤＡＣ３のＬチャンネル用、又は、Ｒチャンネル用のゲインをアッテネートする。
【００２９】
音楽再生時は、図３に示すように、スイッチ５は、ＤＡＣ３のＬチャンネルポートと、可変抵抗ＶＲ１と、を接続する。スイッチ６は、ＤＡＣ３のＲチャンネルポートと、可変抵抗ＶＲ２と、を接続する。スイッチ７は、オフの状態であり、可変抵抗ＶＲ１の出力と、マイクロコンピュータ２のＡ／ＤポートＡ／Ｄ１と、を遮断している。また、スイッチ８は、オフの状態であり、可変抵抗ＶＲ２の出力と、マイクロコンピュータ２のＡ／Ｄポート２と、を遮断している。
【００３０】
マイクロコンピュータ２は、一軸三連ポテンショメータ４の操作があった場合に、Ａ／ＤポートＡ／Ｄ３に出力される可変抵抗ＶＲ３による分圧値に対応した、可変抵抗ＶＲ１による分圧値と可変抵抗ＶＲ２による分圧値との比率に基づいて、ＤＡＣ３を制御する。ＤＡＣ３は、マイクロコンピュータ２による設定に基づいて、Ｌチャンネル、Ｒチャンネルのデジタル音声信号の音量を補正する。ＤＡＣ３は、Ｌチャンネルのデジタル音声信号をアナログ音声信号にＤ／Ａ変換する。ＤＡＣ３によりＤ／Ａ変換されたＬチャンネルのアナログ音声信号は、スイッチ５を介して、可変抵抗ＶＲ１に出力される。可変抵抗ＶＲ１は、Ｌチャンネルのアナログ音声信号を分圧する。可変抵抗ＶＲ１により分圧されたＬチャンネルのアナログ音声信号は、Ｌチャンネル出力端子に出力される。
【００３１】
ＤＡＣ３は、Ｒチャンネルのデジタル音声信号をアナログ音声信号にＤ／Ａ変換する。ＤＡＣ３によりＤ／Ａ変換されたＲチャンネルのアナログ音声信号は、スイッチ６を介して、可変抵抗ＶＲ２に出力される。可変抵抗ＶＲ２は、Ｒチャンネルのアナログ音声信号を分圧する。可変抵抗ＶＲ２により分圧されたＲチャンネルのアナログ音声信号は、Ｒチャンネル出力端子に出力される。
【００３２】
以上説明したように、本実施形態では、ＲＯＭは、可変抵抗ＶＲ１と、可変抵抗ＶＲ２と、可変抵抗ＶＲ３と、に所定電位の電圧を与えた場合の、可変抵抗ＶＲ１による分圧値と、可変抵抗ＶＲ２による分圧値と、可変抵抗ＶＲ３による分圧値と、を対応付けて記憶している。そして、マイクロコンピュータ２は、ＲＯＭに記憶されている、一軸三連ポテンショメータ４の回転角度（調整位置）を示す可変抵抗ＶＲ３による分圧値に対応した、可変抵抗ＶＲ１による分圧値と可変抵抗ＶＲ２による分圧値との比率に基づいて、ＤＡＣ３を制御する。これにより、ギャングエラーの発生が軽減される。
【００３３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３４】
上述の実施形態においては、一軸三連ポテンショメータ４により、音量を調整している。これに限らず、バランスの音声信号の音量を調整する場合、一軸五連ポテンショメータにより、音量を調整するようになっていてもよい。
【００３５】
この場合、ＤＡＣ３は、非反転のＬ（左）チャンネルのデジタル音声信号と、反転のＬ（左）チャンネルのデジタル音声信号と、非反転のＲ（右）チャンネルのデジタル音声信号と、反転のＲ（右）チャンネルのデジタル音声信号と、の音量を補正する。一軸五連ポテンショメータは、非反転のＬ（左）チャンネルのアナログ音声信号用の可変抵抗（第４可変抵抗）と、反転のＬ（左）チャンネルのアナログ音声信号用の可変抵抗（第５可変抵抗）と、非反転のＲ（右）チャンネルのアナログ音声信号用の可変抵抗（第６可変抵抗）と、反転のＲ（右）チャンネルのアナログ音声信号用の可変抵抗（第７可変抵抗）と、ギャングエラーを補正するための可変抵抗（第８可変抵抗）と、を有する。
【００３６】
ＲＯＭは、非反転のＬチャンネルのアナログ音声信号用の可変抵抗と、反転のＬチャンネルのアナログ音声信号用の可変抵抗と、非反転のＲチャンネルのアナログ音声信号用の可変抵抗と、反転のＲチャンネルのアナログ音声信号用の可変抵抗と、ギャングエラーを補正するための可変抵抗と、に所定電位の電圧を与えた場合の、非反転のＬチャンネルのアナログ音声信号用の可変抵抗による分圧値と、反転のＬチャンネルのアナログ音声信号用の可変抵抗による分圧値と、非反転のＲチャンネルのアナログ音声信号用の可変抵抗による分圧値と、反転のＲチャンネルのアナログ音声信号用の可変抵抗による分圧値と、ギャングエラーを補正するための可変抵抗による分圧値と、を対応付けて記憶する。
【００３７】
マイクロコンピュータ２は、ＲＯＭに記憶されている、一軸五連ポテンショメータの調整位置（回転角度）を示すギャングエラーを補正するための可変抵抗による分圧値に対応した、非反転のＬチャンネルのアナログ音声信号用の可変抵抗による分圧値と、反転のＬチャンネルのアナログ音声信号用の可変抵抗による分圧値と、非反転のＲチャンネルのアナログ音声信号用の可変抵抗による分圧値と、反転のＲチャンネルのアナログ音声信号用の可変抵抗による分圧値との比率に基づいて、ＤＡＣ３を制御する。
【００３８】
また、ポテンショメータは、一軸四連ポテンショメータ、一軸六連ポテンショメータ等であってもよい。
【００３９】
上述の実施形態においては、マイクロコンピュータ２のＲＯＭに、可変抵抗ＶＲ１による分圧値と、可変抵抗ＶＲ２による分圧値と、可変抵抗ＶＲ３による分圧値と、が対応付けて記憶されている。これに限らず、マイクロコンピュータ２外部のメモリに記憶されていてもよい。
【００４０】
上述の実施形態においては、ギャングエラーを補正するために、ＤＡＣ３で音量を補正している。これに限らず、他の回路で音量を補正するようになっていてもよい。例えば、ＤＳＰ（Digital Signal Processor）で音量を補正するようになっていてもよい。ＤＳＰは、ＤＡＣ３の前段にあり、ＤＳＰから、ＤＡＣ３に、デジタル音声信号が出力される。ＤＳＰ、ＤＡＣのいずれで補正するかは、スペックとして、細かいレベル調整が行えるか等に基づいて、決定すればよい。また、マイクロコンピュータ２で制御可能であれば、アナログ回路で音量を補正するようになっていてもよい。
【産業上の利用可能性】
【００４１】
本発明は、音声信号の音量を調整する音量調整装置に好適に採用され得る。
【符号の説明】
【００４２】
１  音楽再生装置（音量調整装置）
２  マイクロコンピュータ（制御部）
３  ＤＡＣ（補正部、音量補正部）
４  一軸三連ポテンショメータ
５  スイッチ（第１スイッチ）
６  スイッチ（第２スイッチ）
７  スイッチ（第３スイッチ）
８  スイッチ（第４スイッチ）
【図１】
0006697156.tif 000002
【図２】
0006697156.tif 000003
【図３】
0006697156.tif 000004